(57)【要約】【課題】本発明は、ナット用キャップに関し、ボルトをナットで締結した際に、そのボルトのストレート部に剪断作用がなされるように、ワッシャで調整できるようにすることが課題である。【解決手段】ナットの側面と上面との一部を被覆するキャップであって、当該キャップの上面にボルト貫通用の孔１ａが設けられるとともに、側壁部１ｂにナット２の角部２ａを露出させる回転止め孔１ｃがあり、該回転止め孔１ｃから連通して固定部１ｄにレベル調整用のワッシャ３の一部を避ける孔部１ｅが設けられているナット用キャップ１とする。【選択図】図１
2007170518.tif 000002
【特許請求の範囲】
【請求項１】
ナットの側面と上面との一部を被覆するキャップであって、当該キャップの上面にボルト貫通用の孔が設けられるとともに、側壁部にナットの角部を露出させる回転止め孔があり、該回転止め孔から連通して固定部にレベル調整用のワッシャの一部を避ける孔部が設けられていること、
を特徴とするナット用キャップ。
【請求項２】
キャップは、一枚の帯状板から屈曲されて形成されたものであること、
を特徴とする請求項１に記載のナット用キャップ。
【発明の詳細な説明】
【技術分野】
【０００１】
本発明は、ボルト締結において、ナットを作業者の手では届かない箇所に設けなければならない場合に、その箇所に予めナットを固定するために使用されるナット用キャップに関するものである。
【背景技術】
【０００２】
従来、ボルトを締結するためのナットに装着するキャップとしては、例えば、従来例１として外観を良くし防錆対策とするもの（特許文献１参照）、従来例２として、ボルトによりレベル調整する場合に、ナットが自由回転しないように、ナットの回転止めとなるようにしたもの（特許文献２参照）等が知られている。
【０００３】
【特許文献１】実開平０７−１３２１号公報
【特許文献２】特開２００３−９００５７号公報
【発明の開示】
【発明が解決しようとする課題】
【０００４】
しかし、従来のナット用キャップでは、装飾用であり、ネットの回転止め用であって、作業者の手が届きにくいところにナットを設けるようにして、且つ、ボルトのストレート部分で剪断力を受けるようにワッシャーで調節できるようにしたキャップは見あたらない。本発明に係るナット用キャップは、このような課題を解決するために提案されたものである。
【課題を解決するための手段】
【０００５】
本発明に係るナット用キャップの上記課題を解決して目的を達成するための要旨は、ナットの側面と上面との一部を被覆するキャップであって、当該キャップの上面にボルト貫通用の孔が設けられるとともに、側壁部にナットの角部を露出させる回転止め孔があり、該回転止め孔から連通して固定部にレベル調整用のワッシャの一部を避ける孔部が設けられていることである。
また、前記キャップは、一枚の帯状板から屈曲されて形成されたものであることを含むものである。
【発明の効果】
【０００６】
本発明のナット用キャップによれば、ナットを作業者の手の届かない位置に位置決めして保持され、ボルト締結が可能なように回転防止され、更に、ナット下部にワッシャを入れ込むことで、ボルトのストレート部で連結対象部材による剪断力が作用するようにできる。
【発明を実施するための最良の形態】
【０００７】
本発明に係るナット用キャップ１は、図１に示すように、ナット２の側面と上面との一部を被覆するキャップであって、当該キャップの上面１ｆにボルト貫通用の孔１ａが設けられるとともに、側壁部１ｂにナットの角部を露出させる回転止め孔１ｃがあり、該回転止め孔１ｃから連通して固定部１ｄにレベル調整用のワッシャ３の一部を避ける孔部１ｅが設けられている。
【０００８】
前記回転止め孔１ｃには、ナット２の角部２ａが嵌りこむ。対称系に２カ所で角部２ａが前記孔１ｃに嵌るので、ボルトのネジ部の回転によっても回転されることが無く、ボルトと供回りすることがない。
【０００９】
前記固定部１ｄは、例えば、板ナットの表面に溶接等の手段で固着されるものである。そして、孔部１ｅは、ワッシャ３の弧状部が入り込んでくるので、設けられている。このキャップ１は、図２に示すように、一枚の帯状板から屈曲されて形成されたものである。
【００１０】
このナット用キャップ１に、前記ワッシャ３が装備されるのは、図６に示すように、ボルト４により、連結対象部材（鋼管等）５，６を板ナット７及び連結部材であるブラケット８で締結する際に、前記ボルト４のストレート部４ａに剪断力が掛かるようにするためである。
【００１１】
前記ボルト４のストレート部４ａの先端を板ナット７から突出させると、ネジ部４ｂにナット２を締め込むと板ナット７に到達するにはネジ部が足りなくなってしまう。そこで、ナット２を十分に締め込めるように、ワッシャ３を板ナット７とナット２との間に介在させる必要があるのである。
【００１２】
他の実施例として、図３乃至図４に示すように、前記ワッシャ３を４枚にして装着する場合を示している。このように、設定より必要なワッシャ３の枚数に対応して、予め複数種類のキャップ１を形成して用意しておくものである。
【００１３】
本発明に係るナット用キャップ１を使用して鋼管などを連結するには、図５に示すように、板ナット７に前記キャップ１でナット２及びワッシャ３を所定の取り付け位置に載置して、当該キャップ１を板ナット７に溶接することで位置固定する。
一方の鋼管５に連結部材８を巻き付けて、前記板ナット７ｗｑお鋼管５の内側に配置させ、ボルト９で固定する。そして、他方の鋼管６を、前記連結部材８と板ナット７との間にその端部を差し込む。この鋼管６のボルト用孔と、前記連結部材８及び板ナット７の孔とを位置合わせして、ボルト４で締結する。
【００１４】
こうして、ボルトにより連結対象の鋼管５，６が連結され、前記ボルト４は、図６に示すように、ストレート部４ａで剪断力が確実に作用するようになる。
【図面の簡単な説明】
【００１５】
【図１】本発明に係るナット用キャップ１の底面図（Ａ）、側面図（Ｂ）、平面図（Ｃ）、正面図（Ｄ）である。
【図２】同本発明のナット用キャップ１の展開図である。
【図３】同本発明に係るナット用キャップ１の他の実施例に係る、底面図（Ａ）、側面図（Ｂ）、平面図（Ｃ）、正面図（Ｄ）である。
【図４】同ナット用キャップ１の展開図である。
【図５】同ナット用キャップ１を使用した実施例の斜視図である。
【図６】同ナット用キャップ１の使用状態の断面図である。
【符号の説明】
【００１６】
１          ナット用キャップ、            １ａ          孔、
１ｂ        側壁部、                      １ｃ          回転止め孔、
１ｄ        固定部、                      １ｅ          孔部、
２          ナット、                      ２ａ          角部、
３          ワッシャ、
４          ボルト、                      ４ａ          ストレート部、
５，６      鋼管、
７          板ナット、
８          連結部材（ブラケット）
９          ボルト。
【図１】
2007170518.tif 000003
【図２】
2007170518.tif 000004
【図３】
2007170518.tif 000005
【図４】
2007170518.tif 000006
【図５】
2007170518.tif 000007
【図６】
2007170518.tif 000008